(57)【要約】【課題】施設の各エリアを訪れる個々の来訪客に対して状況に応じた情報を発信する。【解決手段】表示制御サーバ１は、ＩｏＴ容器２の表示部に表示させる対象の画像を位置情報に対応付けた登録を受け付け、ＩｏＴ容器２またはＩｏＴ容器２の表示部の位置情報とＩｏＴ容器２またはＩｏＴ容器２の表示部の識別情報とを取得すると、位置情報に応じて登録された画像を識別情報に対応付けられた送信先に送信し、ＩｏＴ容器２の表示部に画像を表示させる。【選択図】図８
2019012478.tif 000002
【特許請求の範囲】
【請求項１】
容器の表示部に表示させる対象の画像を位置情報に対応付けた登録を受け付け、
容器または該容器の表示部の位置情報と該容器または該容器の表示部の識別情報とを取得すると、前記位置情報に応じて登録された前記画像を該識別情報に対応付けられた送信先に送信し、
前記容器の前記表示部に前記画像を表示させる、
処理をコンピュータが実行することを特徴とする表示制御方法。
【請求項２】
前記受け付ける処理は、前記画像を、対象商品の購入に係る情報にも対応付けた登録を受け付け、
前記送信する処理は、前記容器の利用者の購入履歴に関する情報を取得し、前記購入履歴にも基づいて前記画像を前記送信先に送信する、
ことを特徴とする請求項１に記載の表示制御方法。
【請求項３】
前記受け付ける処理は、前記画像を、対象商品の購入の有無にも対応付けた登録を受け付け、
前記送信する処理は、前記容器の利用者が前記対象商品を購入したか否かに関する情報を取得し、前記購入したか否かに関する情報にも基づいて前記画像を前記送信先に送信する、
ことを特徴とする請求項１または２に記載の表示制御方法。
【請求項４】
前記受け付ける処理は、前記画像を、対象商品の購入エリアにも対応付けた登録を受け付け、
前記送信する処理は、前記容器の利用者が前記対象商品を購入した購入エリアに関する情報を取得し、前記購入エリアにも基づいて前記画像を前記送信先に送信する、
ことを特徴とする請求項１〜３のいずれか一つに記載の表示制御方法。
【請求項５】
前記受け付ける処理は、前記画像を、購入金額にも対応付けた登録を受け付け、
前記送信する処理は、前記容器の利用者の購入金額に関する情報を取得し、前記購入金額にも基づいて前記画像を前記送信先に送信する、
ことを特徴とする請求項１〜４のいずれか一つに記載の表示制御方法。
【請求項６】
前記受け付ける処理は、前記画像を、同伴者にも対応付けた登録を受け付け、
前記送信する処理は、前記容器の利用者の同伴者に関する情報を取得し、前記同伴者にも基づいて前記画像を前記送信先に送信する、
ことを特徴とする請求項１〜５のいずれか一つに記載の表示制御方法。
【請求項７】
前記受け付ける処理は、前記画像を、移動対象物との相対位置にも対応付けた登録を受け付け、
前記送信する処理は、前記移動対象物の位置情報を取得し、前記移動対象物の前記位置情報に基づいて前記容器と前記移動対象物との相対位置を算出し、前記相対位置にも基づいて前記画像を前記送信先に送信する、
ことを特徴とする請求項１〜６のいずれか一つに記載の表示制御方法。
【請求項８】
前記受け付ける処理は、前記画像を、イベントの進行状況にも対応付けた登録を受け付け、
前記送信する処理は、前記イベントの進行状況を取得し、前記進行状況にも基づいて前記画像を前記送信先に送信する、
ことを特徴とする請求項１〜７のいずれか一つに記載の表示制御方法。
【請求項９】
データを表示可能な特定の対象物の利用が開始された場合または購入が完了した場合に、前記対象物の位置情報を取得し、
取得した前記対象物の位置情報を前記対象物の識別情報に対応付けて記憶し、
記憶した前記位置情報に応じたデータを前記対象物に表示させる、
処理をコンピュータに実行させることを特徴とする表示制御プログラム。
【請求項１０】
データを表示可能な特定の対象物の利用が開始された場合または購入が完了した場合に、前記対象物の位置情報を取得する受信部と、
取得した前記対象物の位置情報を前記対象物の識別情報に対応付けて記憶する記憶部と、
前記記憶部に記憶した前記位置情報に応じたデータを前記対象物に表示させる表示部と、
を有することを特徴とする表示制御装置。
【発明の詳細な説明】
【技術分野】
【０００１】
本発明は、表示制御方法、表示制御プログラムおよび表示制御装置に関する。
【背景技術】
【０００２】
テーマパークなどの施設の運営者が施設を訪れる来訪客に情報を発信するには、様々な方法がある。例えば、来訪客のモバイル端末へ情報をプッシュするプッシュ通知がある。また、ＳＮＳ（Social  Networking  Service）を利用した情報の配信がある。また、個々の来訪客のメールアドレスへのメールマガジンの配信がある。さらに、紙媒体の広告や掲示板に掲載された情報の発信がある。
【先行技術文献】
【特許文献】
【０００３】
【特許文献１】特開２０１５−１６８４８１号公報
【発明の概要】
【発明が解決しようとする課題】
【０００４】
しかしながら、施設に来訪する来訪客に情報を発信する従来の技術では、不特定多数への情報の発信であるため、施設の各エリアを訪れる個々の来訪客に対して状況に応じた情報を発信することが困難であるという問題がある。
【０００５】
１つの側面では、施設の各エリアを訪れる個々の来訪客に対して状況に応じた情報を発信することを目的とする。
【課題を解決するための手段】
【０００６】
１つの態様では、表示制御方法は、容器の表示部に表示させる対象の画像を位置情報に対応付けた登録を受け付け、容器または該容器の表示部の位置情報と該容器または該容器の表示部の識別情報とを取得すると、前記位置情報に応じて登録された前記画像を該識別情報に対応付けられた送信先に送信し、前記容器の前記表示部に前記画像を表示させる、ことを特徴とする。
【発明の効果】
【０００７】
１つの態様によれば、施設の各エリアを訪れる個々の来訪客に対して状況に応じた情報を発信することができる。
【図面の簡単な説明】
【０００８】
【図１】図１は、実施例１に係る表示制御サーバを含む表示制御システムの構成を示す機能ブロック図である。
【図２】図２は、実施例１に係るＩｏＴ容器の構成を示す機能ブロック図である。
【図３】図３は、実施例１に係る表示制御サーバの構成を示す機能ブロック図である。
【図４】図４は、実施例１に係る容器管理テーブルのデータ構造の一例を示す図である。
【図５】図５は、実施例１に係る配信管理テーブルのデータ構造の一例を示す図である。
【図６】図６は、実施例１に係る配信ルールテーブルのデータ構造の一例を示す図である。
【図７Ａ】図７Ａは、ＩｏＴ容器の表示部に表示される画像の一例を示す図である。
【図７Ｂ】図７Ｂは、ＩｏＴ容器の表示部に表示される画像の別の一例を示す図である。
【図７Ｃ】図７Ｃは、ＩｏＴ容器の表示部に表示される画像の別の一例を示す図である。
【図７Ｄ】図７Ｄは、ＩｏＴ容器の表示部に表示される画像の別の一例を示す図である。
【図７Ｅ】図７Ｅは、ＩｏＴ容器の表示部に表示される画像の別の一例を示す図である。
【図７Ｆ】図７Ｆは、ＩｏＴ容器の表示部に表示される画像の別の一例を示す図である。
【図８】図８は、実施例１に係る表示制御処理のシーケンスの例を示す図である。
【図９】図９は、実施例１に係る表示制御システムの用途の一例を示す図である。
【図１０】図１０は、実施例２に係る表示制御サーバを含む表示制御システムの構成を示す機能ブロック図である。
【図１１】図１１は、実施例２に係る表示制御サーバの構成を示す機能ブロック図である。
【図１２】図１２は、実施例２に係る容器管理テーブルのデータ構造の一例を示す図である。
【図１３】図１３は、実施例２に係る配信管理テーブルのデータ構造の一例を示す図である。
【図１４】図１４は、実施例２に係る配信ルールテーブルのデータ構造の一例を示す図である。
【図１５】図１５は、実施例２に係る表示制御処理のシーケンスの例を示す図である。
【図１６】図１６は、実施例２に係る表示制御システムの用途の一例を示す図である。
【図１７】図１７は、実施例２に係る表示制御システムの用途の別の一例を示す図である。
【図１８】図１８は、実施例２に係る表示制御システムの用途の別の一例を示す図である。
【図１９】図１９は、実施例２に係る表示制御システムの用途の別の一例を示す図である。
【図２０】図２０は、表示制御プログラムを実行するコンピュータの一例を示す図である。
【発明を実施するための形態】
【０００９】
以下に、本願の開示する表示制御方法、表示制御プログラムおよび表示制御装置の各実施例を図面に基づいて詳細に説明する。なお、各実施例によりこの発明が限定されるものではない。
【実施例１】
【００１０】
［操作管理装置の構成］
図１は、実施例１に係る表示制御サーバを含む表示制御システムの構成を示す機能ブロック図である。実施例１に係る表示制御サーバ１は、例えば、ＩｏＴ（Internet  of  Things）容器の表示部に表示させる対象の画像を位置情報に対応付けた登録を受け付ける。また、表示制御サーバ１は、ＩｏＴ容器または該ＩｏＴ容器の表示部の位置情報と、ＩｏＴ容器または該ＩｏＴ容器の表示部の識別情報とを取得すると、位置情報に応じて登録された画像を識別情報に対応付けられた送信先に送信する。そして、表示制御サーバ１は、ＩｏＴ容器の表示部に画像を表示させる。すなわち、表示制御サーバ１は、ＩｏＴ容器の表示部に、ＩｏＴ容器を利用する利用者の位置に応じた画像などの情報を自動的に表示させる。ここでいうＩｏＴ容器とは、通信機能および表示機能を備える容器のことをいい、実施例１では、ポップコーンなどのテイクアウト用の飲食物を販売する店舗で提供される飲食物の容器のことをいう。
【００１１】
図１に示すように、実施例１に係る表示制御システム９は、表示制御サーバ１と、ＩｏＴ容器２と、端末３とを有する。
【００１２】
表示制御サーバ１は、ＩｏＴ容器２とネットワーク６を介して相互に通信可能に接続される。ここでいうネットワーク６は、例えば、Ｗｉ−Ｆｉ（登録商標）であるが、これに限定されず、キャリア網などその他の通信網であっても良い。また、ＩｏＴ容器２は、端末３とネットワーク７を介して相互に通信可能に接続される。ここでいうネットワーク７は、例えば、ＢＬＥ（Bluetooth（登録商標）  Low  Energy）などのＢｌｕｅｔｏｏｔｈであるが、これに限定されず、ＩｏＴ容器２と端末３とが通信可能に接続されれば良い。なお、表示制御サーバ１の構成は、後述するものとする。
【００１３】
ＩｏＴ容器２は、通信機能、表示機能およびバーコードを備える容器である。例えば、ＩｏＴ容器２は、表示制御サーバ１から送信された画像を表示部に表示することが可能な容器である。また、ＩｏＴ容器２は、他のＩｏＴ容器２と区別するためにバーコードを持つ容器である。かかるバーコードは、表示機能に表示されていても良いし、容器の側面に付けられていても良い。かかるバーコードは、後述するＩｏＴ容器ＩＤ（IDentifier）に対応する。なお、ＩｏＴ容器２は、テイクアウト用の飲食物の容器であると説明したが、これに限定されず、マグカップやタンブラーなどを含む飲料の容器であっても良いし、皿や椀などを含む飲食物の容器であっても良い。なお、ＩｏＴ容器２の構成は、後述するものとする。
【００１４】
端末３は、来訪客用の端末の一例である。端末３は、例えば、スマートフォンなどの携帯電話機であるが、これに限定されず、ＰＤＡ（Personal  Digital  Assistants）、携帯可能なパーソナルコンピュータなどの端末であっても良い。一例として、端末３は、施設固有のアプリケーション画面を表示したり、施設固有のアプリケーションからＩｏＴ容器２の表示部に表示される画像を取り込んだり、参照したりできればその他の種類の端末であっても良い。なお、端末３にインストールされる施設固有のアプリケーションのことを「モバイルアプリ」という場合がある。
【００１５】
［ＩｏＴ容器の構成］
図２は、実施例１に係るＩｏＴ容器の構成を示す機能ブロック図である。図２に示すように、ＩｏＴ容器２は、通信部２１と、表示部２２とを有する。
【００１６】
通信部２１は、ネットワーク６（図１参照）を介して表示制御サーバ１と通信を行う。また、通信部２１は、ネットワーク７（図１参照）を介して端末３と通信を行う。通信部２１は、例えば、ＮＩＣ（Network  Interface  Card）などによって実現される。
【００１７】
表示部２２は、表示制御サーバ１から送信される画像を表示する。表示部２２は、例えば、電子ペーパーであるが、これに限定されず、ＩｏＴ容器２に取り付けられるとともに画像を表示できれば、その他の種類の表示機器であっても良い。
【００１８】
［表示制御サーバの構成］
図３は、実施例１に係る表示制御サーバの構成を示す機能ブロック図である。図３に示すように、表示制御サーバ１は、通信部１１と、制御部１２と、記憶部１３とを有する。
【００１９】
通信部１１は、ネットワーク６（図１参照）を介してＩｏＴ容器２と通信を行う。通信部１１は、例えば、ＮＩＣ（Network  Interface  Card）などによって実現される。
【００２０】
制御部１２は、ＣＰＵ（Central  Processing  Unit）などの電子回路に対応する。そして、制御部１２は、各種の処理手順を規定したプログラムや制御データを格納するための内部メモリを有し、これらによって種々の処理を実行する。ここでは、制御部１２は、サーバアプリによって処理を実行するものとする。制御部１２は、登録部１２１と、受信部１２２と、記録部１２３と、送信部１２４とを有する。なお、送信部１２４は、表示部の一例である。
【００２１】
記憶部１３は、例えば、ＲＡＭ（Random  Access  Memory）、フラッシュメモリ（Flash  Memory）などの半導体メモリ素子、または、ハードディスク、光ディスクなどの記憶装置である。記憶部１３は、容器管理テーブル１３１と、配信管理テーブル１３２と、配信ルールテーブル１３３と、画像１３４とを有する。なお、容器管理テーブル１３１は、記憶部の一例である。
【００２２】
容器管理テーブル１３１は、ＩｏＴ容器２を管理する。ここで、容器管理テーブル１３１のデータ構造を、図４を参照して説明する。
【００２３】
図４は、実施例１に係る容器管理テーブルのデータ構造の一例を示す図である。図４に示すように、容器管理テーブル１３１は、ＩｏＴ容器ＩＤ１３１ａと、アドレス１３１ｂと、位置情報１３１ｃと、利用時間１３１ｄとを対応付けて記憶する。ＩｏＴ容器ＩＤ１３１ａは、ＩｏＴ容器２またはＩｏＴ容器２の表示部２２の識別情報を示す。アドレス１３１ｂは、ＩｏＴ容器２のアドレスを示す。アドレス１３１ｂは、例えば、ＭＡＣ（Media  Access  Control）アドレスであるが、これに限定されず、ＩｏＴ容器２の宛先を示すアドレスであれば良い。位置情報１３１ｃは、ＩｏＴ容器２が位置する位置情報を示す。ここでいう位置情報は、例えば、ＩｏＴ容器２が接続されるＷｉ−Ｆｉのアクセスポイントの設置位置に関する情報から取得することができる。一方で、かかる位置情報はアクセスポイントの設置位置に関する情報に限られず、例えば、ＩｏＴ容器２にＧＰＳ（Global  Positioning  System）センサを別途設け、かかるＧＰＳセンサから得られる位置情報を用いても良い。利用時間１３１ｄは、来訪客がＩｏＴ容器２を利用している時間を示す。
【００２４】
一例として、ＩｏＴ容器ＩＤ１３１ａが「ｃ０００００１」である場合に、アドレス１３１ｂとして「ａ０：ｂ２：ｄ３：７Ｆ：６０：ｂ５」、位置情報１３１ｃとして「エリア１」が記憶されている。
【００２５】
図３に戻って、配信管理テーブル１３２は、各ＩｏＴ容器２に配信した画像の情報を管理する。ここで、配信管理テーブル１３２のデータ構造を、図５を参照して説明する。
【００２６】
図５は、実施例１に係る配信管理テーブルのデータ構造の一例を示す図である。図５に示すように、配信管理テーブル１３２は、ＩｏＴ容器ＩＤ１３２ａと、配信画像１３２ｂと、時刻１３２ｃとを対応付けて記憶する。ＩｏＴ容器ＩＤ１３２ａは、ＩｏＴ容器２またはＩｏＴ容器２の表示部２２の識別情報を示す。ＩｏＴ容器ＩＤ１３２ａは、容器管理テーブル１３１のＩｏＴ容器ＩＤ１３１ａに対応する。配信画像１３２ｂは、ＩｏＴ容器２に配信された画像を識別する情報を示す。画像を識別する情報には、例えば、画像の名称や画像の番号を含んでも良い。時刻１３２ｃは、配信画像１３２ｂが示す画像が配信された時刻を示す。
【００２７】
一例として、ＩｏＴ容器ＩＤ１３２ａが「ｃ０００００１」である場合に、配信画像１３２ｂとして「イベント情報３５」、時刻１３２ｃとして「ｙｙｙｙ．ｍｍ．ｄｄ．ｈｈ．ｍｍ．ｓｓ０」が記憶されている。また、ＩｏＴ容器ＩＤ１３２ａが「ｃ０００００１」である場合に、配信画像１３２ｂとして「キャラクターＢ」、時刻１３２ｃとして「ｙｙｙｙ．ｍｍ．ｄｄ．ｈｈ．ｍｍ．ｓｓ１」が記憶されている。
【００２８】
図３に戻って、配信ルールテーブル１３３は、配信ルールを管理する。なお、配信ルールテーブル１３３は、システムの運用前に予め記憶しても良いし、システムの運用中に追加や削除、変更などを行っても良い。ここで、配信ルールテーブル１３３のデータ構造を、図６を参照して説明する。
【００２９】
図６は、実施例１に係る配信ルールテーブルのデータ構造の一例を示す図である。図６に示すように、配信ルールテーブル１３３は、配信条件１３３ａと、配信画像１３３ｂとを対応付けて記憶する。配信条件１３３ａは、画像が配信される条件を示す。配信条件１３３ａは、例えば、来訪客が接近した施設内のマスコットキャラクターや、来訪客が訪れた施設内のエリアに基づいた条件であるが、これに限定されず、その他の条件であっても良い。配信画像１３３ｂは、配信条件１３３ａに合致したときに配信される画像を識別する情報を示す。配信画像１３３ｂは、配信管理テーブル１３２の配信画像１３２ｂに対応する。
【００３０】
一例として、配信条件１３３ａが「キャラクターＡに接近」である場合に、配信画像１３３ｂとして「キャラクターＡ」が記憶されている。配信条件１３３ａが「エリア１に来訪」である場合に、配信画像１３３ｂとして「イベント情報３５」が記憶されている。
【００３１】
図３に戻って、画像１３４は、配信される画像である。以下、複数の画像１３４を区別するため「画像１３４ａ」、「画像１３４ｂ」と記載する。特に区別せずに説明する場合には、「画像１３４」と記載する。画像１３４には、例えば、マスコットキャラクターなどのイラストを記載した画像１３４ａと、メッセージを記載した画像１３４ｂとが含まれる。イラストを記載した画像１３４ａには、例えば、アニメの画像が含まれる。メッセージを記載した画像１３４ａには、例えば、イベントの情報や割引の情報、無料クーポンの情報などが含まれる。画像１３４は、図示しない編集端末を用いて作成されたり、編集されたりし、記憶部１３に登録される。なお、画像１３４には、画像のみならず文字も含まれる。
【００３２】
制御部１２の登録部１２１は、画像１３４を記憶部１３に登録する。例えば、登録部１２１は、システムの運用前や運用中に、編集端末の編集画面によって作成された画像１３４を受け付けると、画像１３４を記憶部１３に追加する。
【００３３】
受信部１２２は、ＩｏＴ容器２の利用が開始された場合または購入が完了した場合に、ＩｏＴ容器２の識別情報と位置情報とを対応付ける。
【００３４】
例えば、受信部１２２は、ＩｏＴ容器２の利用が開始された場合などにＩｏＴ容器２の識別情報を取得すると、以下の処理を行う。受信部１２２は、取得した識別情報が容器管理テーブル１３１のＩｏＴ容器ＩＤ１３１ａに記憶されていない場合には、当該識別情報が示す容器の利用が開始されたタイミングであると判断する。そして、受信部１２２は、容器管理テーブル１３１に、ＩｏＴ容器ＩＤ１３１ａとして取得した識別情報、アドレス１３１ｂとして識別情報に対応するアドレスおよび利用時間１３１ｄとして「０」を対応付けて格納する。なお、識別情報に対応するアドレスは、予めアドレステーブルに保持しておけば良い。
【００３５】
また、受信部１２２は、ＩｏＴ容器２から位置情報を取得すると、現に容器管理テーブル１３１に格納したＩｏＴ容器ＩＤ１３１ａに対応する位置情報１３１ｃに当該位置情報を格納する。これにより、受信部１２２は、ＩｏＴ容器２の識別情報と位置情報とを対応付けることができる。なお、ＩｏＴ容器２の識別情報および位置情報を取得するタイミングは、ＩｏＴ容器２の利用が開始されたタイミングまたは購入が完了したタイミングのどちらでも良い。
【００３６】
記録部１２３は、ＩｏＴ容器２の利用が開始されたタイミングからの時間経過を記録する。例えば、記録部１２３は、ＩｏＴ容器２の利用が開始されたタイミングからタイマーを起動する。そして、記録部１２３は、容器管理テーブル１３１のＩｏＴ容器ＩＤ１３１ａに対応する利用時間１３１ｄを更新する。
【００３７】
送信部１２４は、ＩｏＴ容器２に対して個別の画像を送信する。例えば、送信部１２４は、ＩｏＴ容器２の識別情報および位置情報と、配信画像の画像番号とを取得すると、記憶部１３に登録された画像１３４の中の取得した画像番号に基づいた画像を、識別情報に対応付けられた送信先のＩｏＴ容器２に送信する。これにより、送信部１２４は、ＩｏＴ容器２の利用者が訪れた各エリアに応じた固有の画像を表示させることができる。
【００３８】
また、送信部１２４は、ＩｏＴ容器２のＩｏＴ容器ＩＤ１３１ａを容器管理テーブル１３１から取得する。そして、送信部１２４は、送信した画像の情報を、取得したＩｏＴ容器ＩＤ１３１ａに対応付けて配信管理テーブル１３２に格納する。
【００３９】
さらに、送信部１２４は、所定の条件に応じて、ＩｏＴ容器２に表示させる画像を変更する。例えば、送信部１２４は、ＩｏＴ容器２の利用者が訪れたエリアに応じて、ＩｏＴ容器２に表示させる画像を変更する。一例として、送信部１２４は、配信ルールテーブル１３３を参照し、容器管理テーブル１３１のＩｏＴ容器２に対応する位置情報１３１ｃが配信条件１３３ａに適合するか否かを判定する。そして、送信部１２４は、位置情報１３１ｃが配信条件１３３ａに適合する場合には、適合した配信条件１３３ａに対応する配信画像１３３ｂを、位置情報１３１ｃに対応するＩｏＴ容器２に対応付けられた送信先のＩｏＴ容器２に送信する。これにより、送信部１２４は、ＩｏＴ容器２の利用者が訪れたエリアに応じてＩｏＴ容器２に提示する画像を変更することができる。
【００４０】
［ＩｏＴ容器の表示部に表示される画像］
次に、ＩｏＴ容器２の表示部２２に表示される画像例を、図７Ａ〜図７Ｆを参照して説明する。図７Ａは、ＩｏＴ容器の表示部に表示される画像の一例を示す図である。図７Ａに示すように、ＩｏＴ容器２には、施設のマスコットキャラクターを示す画像が表示されている。ここでは、施設のマスコットキャラクターとしてキャラクターＡが表示されている。例えば、送信部１２４は、配信ルールテーブル１３３に基づき、ＩｏＴ容器２の利用者が接近するマスコットキャラクターに応じて、かかるマスコットキャラクターの画像をＩｏＴ容器２の表示部２２に表示させる。
【００４１】
図７Ｂ〜図７Ｆは、ＩｏＴ容器の表示部に表示される画像の別の一例を示す図である。図７Ｂに示すように、ＩｏＴ容器２には、別のマスコットキャラクターを示す画像が表示されている。ここでは、別のマスコットキャラクターとしてキャラクターＢが表示されている。
【００４２】
図７Ｃに示すように、ＩｏＴ容器２には、イベントの情報を示す画像が表示されている。ここでは、イベントの情報として「１５時よりエリア１でＸＸパレード開催！」が表示されている。例えば、送信部１２４は、配信ルールテーブル１３３に基づき、ＩｏＴ容器２の利用者が訪れるエリアに応じて、イベントの情報を示す配信画像をＩｏＴ容器２の表示部２２に表示させる。
【００４３】
図７Ｄに示すように、ＩｏＴ容器２には、別のイベントの情報を示す画像が表示されている。ここでは、別のイベントの情報として「エリア２でこれからキャラクターＡに会えるよ！」が表示されている。
【００４４】
図７Ｅに示すように、ＩｏＴ容器２には、割引の情報を示す画像が表示されている。ここでは、割引の情報として、「１０％  ＯＦＦ」が表示されている。例えば、送信部１２４は、配信ルールテーブル１３３に基づき、ＩｏＴ容器２の利用者が訪れるエリアに応じて、割引の情報を示す配信画像をＩｏＴ容器２の表示部２２に表示させる。
【００４５】
図７Ｆに示すように、ＩｏＴ容器２には、無料クーポンの情報を示す画像が表示されている。ここでは、無料クーポンの情報として、「ポップコーン１個無料」が表示されている。例えば、送信部１２４は、配信ルールテーブル１３３に基づき、ＩｏＴ容器２の利用者が訪れるエリアに応じて、無料クーポンの情報を示す配信画像をＩｏＴ容器２の表示部２２に表示させる。
【００４６】
［表示制御処理のシーケンス］
図８は、実施例１に係る表示制御処理のシーケンスの例を示す図である。図８では、飲食物を購入した来訪客の移動したエリアが配信ルールに適合した場合に、適合した配信ルールに対応する広告の画像を表示制御サーバ１が特定し、特定した画像を来訪客に対応するＩｏＴ容器２に表示させる場合を説明する。なお、図８中の破線で示す処理は、人間が行う処理である。
【００４７】
図８に示すように、来訪客は、施設に来訪し、飲食物を注文する（Ｓ１１，Ｓ１２）。飲食物の注文を受け付けた施設の従業員は、ＩｏＴ容器２に付けられたバーコードを施設内の端末でスキャンする（Ｓ１３）。かかるＩｏＴ容器２から読み取られたバーコードが、ＩｏＴ容器２の識別情報である。ＩｏＴ容器２に付けられたバーコードの操作を受け付けた施設内の端末は、バーコードを取得し、取得したバーコードを表示制御サーバ１に送信する。
【００４８】
バーコードを受け付けた表示制御サーバ１は、バーコードに対応するＩｏＴ容器２の施設内での利用の記録を開始する（Ｓ１４）。すなわち、表示制御サーバ１は、ＩｏＴ容器２の利用が開始されたタイミングからの時間経過を記録する。例えば、表示制御サーバ１は、バーコードが容器管理テーブル１３１のＩｏＴ容器ＩＤ１３１ａに記憶されていないので、ＩｏＴ容器２の利用が開始されたタイミングであると判断する。そして、表示制御サーバ１は、容器管理テーブル１３１にバーコード、バーコードに対応するアドレス、利用時間としての「０」を対応付けて格納する。そして、表示制御サーバ１は、バーコードに対応したタイマーを起動し、ＩｏＴ容器２の利用が開始されたタイミングからの時間経過を記録する。
【００４９】
識別されたＩｏＴ容器２を飲食物とともに受け取った来訪客は、施設内を移動する（Ｓ１５，Ｓ１６）。来訪客とともに施設内を移動するＩｏＴ容器２は、位置情報を随時表示制御サーバ１に送信する（Ｓ１７）。表示制御サーバ１は、配信ルールテーブル１３３を参照し、来訪客が訪れるエリアが配信ルールに適合するか否かを判定する（Ｓ１８）。例えば、表示制御サーバ１は、配信ルールテーブル１３３を参照し、容器管理テーブル１３１のＩｏＴ容器２に対応する位置情報１３１ｃが配信条件１３３ａに適合するか否かを判定する。
【００５０】
来訪客の訪れるエリアが配信ルールに適合しないと判定した場合には（Ｓ１８；Ｎｏ）、表示制御サーバ１は、処理をＳ１８に移行する。一方、来訪客の訪れるエリアが配信ルールに適合すると判定した場合には（Ｓ１８；Ｙｅｓ）、表示制御サーバ１は、適合した配信ルールに対応する配信画像を位置情報１３１ｃに対応するアドレス１３１ｂのＩｏＴ容器２に送信する（Ｓ１９）。
【００５１】
画像を受け付けたＩｏＴ容器２は、表示部２２に画像を表示する（Ｓ２０）。一方、画像を送信した表示制御サーバ１は、ＩｏＴ容器２に送信した画像の情報を、履歴として配信管理テーブル１３２に記録する（Ｓ２１）。例えば、表示制御サーバ１は、ＩｏＴ容器２のＩｏＴ容器ＩＤ１３１ａを容器管理テーブル１３１から取得する。そして、表示制御サーバ１は、送信した画像の情報を、取得したＩｏＴ容器ＩＤ１３１ａに対応付けて配信管理テーブル１３２に追加する。
【００５２】
この後、来訪客が、ＩｏＴ容器２とともに施設を退場する（Ｓ２２）。ＩｏＴ容器２の退場を受け付けた表示制御サーバ１は、退場したＩｏＴ容器２の施設内での利用記録を終了する（Ｓ２３）。例えば、表示制御サーバ１は、ＩｏＴ容器２の識別情報に対応したタイマーを停止し、時間経過の記録を終了する。なお、ＩｏＴ容器２の退場は、例えば、ＩｏＴ容器２が施設の入口に設置されるアクセスポイントで最後に接続され、その後施設内のいずれのアクセスポイントでもＩｏＴ容器２の接続が確認されなくなった段階で認識することができる。
【００５３】
［表示制御システムの用途］
図９は、実施例１に係る表示制御システムの用途の一例を示す図である。図９は、テーマパークなどの施設の一例である。表示制御サーバ１は、ＩｏＴ容器２とＷｉ−Ｆｉで接続されている。そして、ＩｏＴ容器２は、端末３とＢＬＥで接続されている。図９では、複数の来訪客のうち来訪客Ｇに着目して説明する。
【００５４】
図９に示すように、＜１＞来訪客Ｇが施設に来訪し、ＩｏＴ容器２に入れられた飲食物を購入する。＜２＞来訪客Ｇは、ＩｏＴ容器２を持って施設内を移動し、施設内のエリア１に来訪する。＜３＞表示制御サーバ１は、エリア１に入ったＩｏＴ容器２から位置情報および識別情報を受信する。そして、表示制御サーバ１は、受信した位置情報と設定された配信ルールとに基づいて、Ｗｉ−Ｆｉ経由で対象の識別情報を有するＩｏＴ容器２にエリア１に基づいた画像を配信する。＜４＞対象の識別情報を有するＩｏＴ容器２は、エリア１に基づいた画像（例えば、図７Ｃに示したイベントの情報）を表示する。
【００５５】
さらに、＜５＞来訪客Ｇは、ＩｏＴ容器２を持って施設内を移動し、施設内のエリア２に来訪する。＜６＞表示制御サーバ１は、エリア２に入ったＩｏＴ容器２から位置情報および識別情報を受信し、ＩｏＴ容器２の位置情報を更新する。そして、表示制御サーバ１は、更新された位置情報と設定された配信ルールとに基づいて、Ｗｉ−Ｆｉ経由で対象の識別情報を有するＩｏＴ容器２にエリア２に基づいた画像を配信する。＜７＞対象の識別情報を有するＩｏＴ容器２は、エリア２に基づいた画像（例えば、図７Ｄに示したイベントの情報）を表示する。
【００５６】
これにより、表示制御システム９は、来訪客の訪れるエリアに応じて、来訪客が有するＩｏＴ容器２に適切な画像を表示することができる。例えば、来訪客が異なるエリアを訪れた場合、訪れたエリアに応じた適切な画像をＩｏＴ容器２に表示することができる。
【００５７】
［実施例１の効果］
このようにして、表示制御サーバ１は、ＩｏＴ容器２の表示部２２に表示させる対象の画像を位置情報に対応付けた登録を受け付ける。表示制御サーバ１は、ＩｏＴ容器２またはＩｏＴ容器２の表示部２２の位置情報とＩｏＴ容器２またはＩｏＴ容器２の表示部２２の識別情報とを取得すると、位置情報に応じて登録された画像を識別情報に対応付けられた送信先に送信する。表示制御サーバ１は、ＩｏＴ容器２の表示部２２に画像を表示させる。かかる構成によれば、表示制御サーバ１は、施設の各エリアを訪れる個々の来訪客が有するＩｏＴ容器２ごとに状況に応じた情報を発信することができる。
【実施例２】
【００５８】
［操作管理装置の構成］
図１０は、実施例２に係る表示制御サーバを含む表示制御システムの構成を示す機能ブロック図である。図１０に示すように、実施例２に係る表示制御システム９は、表示制御サーバ１と、ＩｏＴ容器２と、端末３と、ＰＯＳ（Point  Of  Sales）端末４とを有する。なお、実施例１と同じ構成に関しては、適宜説明を省略する。
【００５９】
表示制御サーバ１は、ＰＯＳ端末４とネットワーク６を介して相互に通信可能に接続される。また、表示制御サーバ１は、ＩｏＴ容器２とネットワーク６を介して相互に通信可能に接続される。ＩｏＴ容器２は、端末３とネットワーク７を介して相互に通信可能に接続される。なお、表示制御サーバ１の構成は、後述するものとする。
【００６０】
ＰＯＳ端末４は、施設に来訪する来訪客の顧客情報を識別し、来訪客が購入した飲食物の売買取引を決済する。例えば、ＰＯＳ端末４は、来訪客が提示する施設固有のプリペイドカードまたは後述する来訪客用の端末である端末３に表示される施設固有のアプリケーション画面のバーコードを読み取り、来訪客の顧客情報を識別する。そして、ＰＯＳ端末４は、顧客情報に対して来訪客が購入した飲食物の売買取引を決済する。そして、ＰＯＳ端末４は、来訪客と飲食物の容器であるＩｏＴ容器２とを対応させるために、来訪客の顧客情報を表示制御サーバ１に送信する。なお、ＰＯＳ端末４は、決済した決済情報を図示しない記憶部に記憶する。決済情報には、例えば、来訪客の顧客情報、商品名、価格、購買時刻等が含まれる。
【００６１】
［表示制御サーバの構成］
図１１は、実施例２に係る表示制御サーバの構成を示す機能ブロック図である。図１１に示すように、表示制御サーバ１は、通信部３１と、制御部３２と、記憶部３３とを有する。なお、実施例１と同じ構成に関しては、符号の下２桁を同一にして適宜説明を省略する。
【００６２】
通信部３１は、ネットワーク６（図１０参照）を介してＩｏＴ容器２およびＰＯＳ端末４と通信を行う。通信部３１は、例えば、ＮＩＣ（Network  Interface  Card）などによって実現される。
【００６３】
制御部３２は、ＣＰＵ（Central  Processing  Unit）などの電子回路に対応する。そして、制御部３２は、各種の処理手順を規定したプログラムや制御データを格納するための内部メモリを有し、これらによって種々の処理を実行する。ここでは、制御部３２は、サーバアプリによって処理を実行するものとする。制御部３２は、登録部３２１と、受信部３２２と、記録部３２３と、送信部３２４と、解析部３２５とを有する。なお、送信部３２４は、表示部の一例である。
【００６４】
記憶部３３は、例えば、ＲＡＭ（Random  Access  Memory）、フラッシュメモリ（Flash  Memory）などの半導体メモリ素子、または、ハードディスク、光ディスクなどの記憶装置である。記憶部３３は、容器管理テーブル３３１と、配信管理テーブル３３２と、配信ルールテーブル３３３と、画像３３４とを有する。なお、容器管理テーブル３３１は、記憶部の一例である。
【００６５】
容器管理テーブル３３１は、ＩｏＴ容器２を管理する。ここで、容器管理テーブル３３１のデータ構造を、図１２を参照して説明する。
【００６６】
図１２は、実施例２に係る容器管理テーブルのデータ構造の一例を示す図である。図１２に示すように、容器管理テーブル３３１は、ＩｏＴ容器ＩＤ３３１ａと、アドレス３３１ｂと、来訪客ＩＤ３３１ｃと、位置情報３３１ｄと、利用時間３３１ｅとを対応付けて記憶する。ＩｏＴ容器ＩＤ３３１ａは、ＩｏＴ容器２またはＩｏＴ容器２の表示部２２の識別情報を示す。アドレス３３１ｂは、ＩｏＴ容器２のアドレスを示す。来訪客ＩＤ３３１ｃは、来訪客の顧客情報を示す。ここでいう顧客情報は、例えば、施設固有のプリペイドカードまたは施設固有のアプリケーション画面のバーコードを示す情報である。位置情報３３１ｄは、ＩｏＴ容器２が位置する位置情報を示す。利用時間３３１ｅは、来訪客がＩｏＴ容器２を利用している時間を示す。
【００６７】
一例として、ＩｏＴ容器ＩＤ３３１ａが「ｃ０００００１」である場合に、アドレス３３１ｂとして「ａ０：ｂ２：ｄ３：７Ｆ：６０：ｂ５」、来訪客ＩＤ３３１ｃとして「１０００」、位置情報３３１ｄとして「エリア１」が記憶されている。
【００６８】
図１１に戻って、配信管理テーブル３３２は、来訪客に配信した画像の情報を管理する。ここで、配信管理テーブル３３２のデータ構造を、図１３を参照して説明する。
【００６９】
図１３は、実施例２に係る配信管理テーブルのデータ構造の一例を示す図である。図１３に示すように、配信管理テーブル３３２は、来訪客ＩＤ３３２ａと、配信画像３３２ｂと、時刻３３２ｃと、配信効果３３２ｄとを対応付けて記憶する。来訪客ＩＤ３３２ａは、来訪客の顧客情報を示す。来訪客ＩＤ３３２ａは、容器管理テーブル３３１の来訪客ＩＤ３３１ｃに対応する。配信画像３３２ｂは、来訪客に対応付けられたＩｏＴ容器２に配信された画像を識別する情報を示す。時刻３３２ｃは、配信画像３３２ｂが示す画像が配信された時刻を示す。配信効果３３２ｄは、配信画像３３２ｂに新たな利用または購入の効果があったか否かを示す情報を示す。効果があった場合には、一例として「○」が設定される。なお、配信効果３３２ｄの初期値には、一例として「−」が設定される。
【００７０】
一例として、来訪客ＩＤ３３２ａが「１０００」である場合に、配信画像３３２ｂとして「イベント情報３５」、時刻３３２ｃとして「ｙｙｙｙ．ｍｍ．ｄｄ．ｈｈ．ｍｍ．ｓｓ０」が記憶されている。また、来訪客ＩＤ３３２ａが「１０００」である場合に、配信画像３３２ｂとして「割引１１」、時刻３３２ｃとして「ｙｙｙｙ．ｍｍ．ｄｄ．ｈｈ．ｍｍ．ｓｓ１」、配信効果３３２ｄとして「○」が記憶されている。
【００７１】
図１１に戻って、配信ルールテーブル３３３は、配信ルールを管理する。ここで、配信ルールテーブル３３３のデータ構造を、図１４を参照して説明する。
【００７２】
図１４は、実施例２に係る配信ルールテーブルのデータ構造の一例を示す図である。図１４に示すように、配信ルールテーブル３３３は、配信条件（１）３３３ａと、配信条件（２）３３３ｂと、配信画像３３３ｃとを対応付けて記憶する。配信条件（１）３３３ａおよび配信条件（２）３３３ｂは、画像が配信される条件を示す。配信条件（１）３３３ａは、例えば、来訪客が訪れた施設内のエリアや、来訪客が接近した施設内のキャラクターに基づいた条件である。配信条件（２）３３３ｂは、例えば、施設内で来訪客が商品を購入した購入金額や購入履歴、商品の購入エリア、来訪客の同伴者、イベントの進行状況などに基づいた条件である。なお、配信条件（１）３３３ａおよび配信条件（２）３３３ｂは、これらに限定されず、その他の条件であっても良い。配信画像３３３ｃは、配信条件（１）３３３ａおよび配信条件（２）３３３ｂに合致したときに配信される画像を識別する情報を示す。配信画像３３３ｃは、配信管理テーブル３３２の配信画像３３２ｂに対応する。
【００７３】
一例として、配信条件（１）３３３ａが「エリア１に来訪」、配信条件（２）３３３ｂが「購入金額１万円以上」である場合に、配信画像３３３ｃとして「無料クーポン１００」が記憶されている。配信条件（１）３３３ａが「エリア２に来訪」、配信条件（２）３３３ｂが「子ども同伴」である場合に、配信画像３３３ｃとして「キャラクターＢ」が記憶されている。なお、実施例２では、配信ルールテーブル３３３に登録されている配信条件は２つ（配信条件（１）３３３ａ、配信条件（２）３３３ｂ）であるが、配信ルールテーブル３３３に登録することができる配信条件は２つに限られず、いくつ登録されていても良い。
【００７４】
図１１に戻って、画像３３４は、配信される画像である。登録部３２１は、画像３３４を記憶部３３に登録する。
【００７５】
受信部３２２は、ＩｏＴ容器２の利用が開始された場合または購入が完了した場合に、ＩｏＴ容器２と来訪客および位置情報とを対応付ける。
【００７６】
例えば、受信部３２２は、ＰＯＳ端末４から来訪客の顧客情報を取得すると、容器管理テーブル３３１に格納したＩｏＴ容器ＩＤ３３１ａに対応する来訪客ＩＤ３３１ｃに当該顧客情報を格納する。また、受信部３２２は、ＩｏＴ容器２から位置情報を取得すると、容器管理テーブル３３１に格納したＩｏＴ容器ＩＤ３３１ａに対応する位置情報３３１ｄに当該位置情報を格納する。これにより、受信部３２２は、ＩｏＴ容器２の識別情報と、来訪客の顧客情報および位置情報とを対応付けることができる。なお、来訪客の顧客情報を取得するタイミングは、ＩｏＴ容器２の利用が開始されたタイミングまたは購入が完了したタイミングのどちらでも良い。
【００７７】
記録部３２３は、ＩｏＴ容器２の利用が開始されたタイミングからの時間経過を記録する。
【００７８】
送信部３２４は、ＩｏＴ容器２に対して個別の画像を送信する。例えば、送信部３２４は、ＩｏＴ容器２の識別情報、顧客情報および位置情報と、配信画像の画像番号とを取得すると、記憶部３３に登録された画像３３４の中の取得した画像番号に基づいた画像を識別情報に対応付けられた送信先のＩｏＴ容器２に送信する。これにより、送信部３２４は、ＩｏＴ容器２の利用者の顧客情報と、利用者が訪れた各エリアとに応じた画像を表示させることができる。
【００７９】
また、送信部３２４は、ＩｏＴ容器２の識別情報に対応付けられた来訪客の来訪客ＩＤ３３１ｃを容器管理テーブル３３１から取得する。そして、送信部３２４は、送信した画像の情報を、取得した来訪客ＩＤ３３１ｃに対応付けて配信管理テーブル３３２に格納する。
【００８０】
また、送信部３２４は、所定の条件に応じて、ＩｏＴ容器２に表示させる画像を変更する。例えば、送信部３２４は、ＩｏＴ容器２の利用者が訪れたエリアや利用者の顧客情報に応じて、ＩｏＴ容器２に表示させる画像を変更する。一例として、送信部３２４は、配信ルールテーブル３３３を参照し、容器管理テーブル３３１のＩｏＴ容器２に対応する位置情報３３１ｄが配信条件（１）３３３ａに適合するか否かを判定する。また、送信部３２４は、配信ルールテーブル３３３を参照し、容器管理テーブル３３１のＩｏＴ容器２に対応する来訪客ＩＤ３３１ｃの顧客情報が配信条件（２）３３３ｂに適合するか否かを判定する。そして、送信部３２４は、位置情報３３１ｄが配信条件（１）３３３ａに適合し、かつ来訪客ＩＤ３３１ｃの顧客情報が配信条件（２）３３３ｂに適合する場合には、適合した配信条件（１）３３３ａおよび配信条件（２）３３３ｂに対応する配信画像３３３ｃを、位置情報３３１ｄおよび来訪客ＩＤ３３１ｃに対応するＩｏＴ容器２に対応付けられた送信先のＩｏＴ容器２に送信する。これにより、送信部３２４は、ＩｏＴ容器２の利用者が訪れたエリアおよび利用者の顧客情報に応じて、ＩｏＴ容器２に提示する画像を変更することができる。
【００８１】
解析部３２５は、ＩｏＴ容器２に表示された画像を利用して、新たな利用または購入が行われたか否かを解析する。例えば、解析部３２５は、ＰＯＳ端末４により蓄積された決済情報および配信管理テーブル３３２に蓄積された情報に基づいて、配信画像に新たな利用または購入の効果があったか否かを解析する。
【００８２】
一例として、端末３が、モバイルアプリからＩｏＴ容器２の表示部２２に表示される画像を取り込んだり、参照したりできる場合とする。かかる場合には、解析部３２５は、ＰＯＳ端末４から来訪客の顧客情報とモバイルアプリで参照された配信画像の画像情報とを取得すると、配信管理テーブル３３２の顧客情報に対応する配信画像に、取得した画像情報が設定されているか否かを判定する。そして、解析部３２５は、配信管理テーブル３３２の顧客情報に対応する配信画像に、取得した画像情報が設定されていれば、この配信画像に新たな利用または購入の効果があったと解析できる。そして、解析部３２５は、配信管理テーブル３３２のこの配信画像に対応する配信効果３３２ｄに効果があったことを示す「○」を設定する。なお、解析部３２５による解析は、例えば、来訪客が新たに飲食物を購入したり、新たに施設内の店舗を利用したりする場合が想定される。
【００８３】
また、別の一例として、解析部３２５は、ある来訪客に対して、配信画像３３２ｂが配信された時刻３３２ｃの後に、同じ来訪客の決済情報に購買履歴が有るか否かで判断しても良い。具体的には、送信部３２４が、配信ルールテーブル３３３に基づき、来訪客のＩｏＴ容器２に「ポップコーンのおかわり１００円」という割引情報の画像を送信する。配信管理テーブル３３２には、来訪客に対応付けて送信した時刻３３２ｃおよび送信された割引情報の画像情報が格納される。解析部３２５は、この時刻３３２ｃの後に、決済情報に同じ来訪客がポップコーンを１００円で購入した履歴が記録されていれば、配信画像に新たな利用または購入の効果があったと解析できる。なお、解析部３２５による解析は、リアルタイム処理で行われても良いし、バッチ処理で行われても良い。これにより、解析部３２５は、配信画像の何らかの効果を解析することができる。
【００８４】
［表示制御処理のシーケンス］
図１５は、実施例２に係る表示制御処理のシーケンスの例を示す図である。図１５では、飲食物を購入した来訪客の移動したエリアおよび顧客情報が配信ルールに適合した場合に、適合した配信ルールに対応する広告の画像を表示制御サーバ１が特定し、特定した画像を来訪客に対応するＩｏＴ容器２に表示させる場合を説明する。なお、図１５中の破線で示す処理は、人間が行う処理である。
【００８５】
図１５に示すように、来訪客は、施設に来訪し、飲食物を注文する（Ｓ３１，Ｓ３２）。飲食物の注文を受け付けた施設の従業員は、ＩｏＴ容器２に付けられたバーコードを施設内の端末でスキャンする（Ｓ３３）。かかるＩｏＴ容器２から読み取られたバーコードが、ＩｏＴ容器２の識別情報である。ＩｏＴ容器２に付けられたバーコードの操作を受け付けた施設内の端末は、バーコードを取得し、取得したバーコードを表示制御サーバ１に送信する。
【００８６】
バーコードを受け付けた表示制御サーバ１は、バーコードに対応するＩｏＴ容器２の施設内での利用の記録を開始する（Ｓ３４）。すなわち、表示制御サーバ１は、ＩｏＴ容器２の利用が開始されたタイミングからの時間経過を記録する。例えば、表示制御サーバ１は、バーコードが容器管理テーブル３３１のＩｏＴ容器ＩＤ３３１ａに記憶されていないので、ＩｏＴ容器２の利用が開始されたタイミングであると判断する。そして、表示制御サーバ１は、容器管理テーブル３３１にバーコード、バーコードに対応するアドレス、利用時間としての「０」を対応付けて格納する。そして、表示制御サーバ１は、バーコードに対応したタイマーを起動し、ＩｏＴ容器２の利用が開始されたタイミングからの時間経過を記録する。
【００８７】
また、来訪客は、所持する端末３にインストールされたモバイルアプリにより決済する（Ｓ３５）。なお、決済は、モバイルアプリの代わりにモバイルアプリと連携済みのプリペイドカードで行われても良い。そして、従業員は、モバイルアプリ画面のバーコードを施設内の端末でスキャンする（Ｓ３６）。かかるモバイルアプリ画面から読み取られたバーコードが、来訪客の顧客情報である。
【００８８】
モバイルアプリ画面のバーコードのスキャン操作を受け付けたＰＯＳ端末４は、バーコードを取得し、来訪客を示す顧客情報を識別する（Ｓ３７）。そして、ＰＯＳ端末４は、決済処理を行う（Ｓ３８）。そして、ＰＯＳ端末４は、取得した顧客情報を表示制御サーバ１に送信する。
【００８９】
顧客情報を受け付けた表示制御サーバ１は、顧客情報と、利用が開始されたＩｏＴ容器２とを対応付ける（Ｓ３９）。例えば、表示制御サーバ１は、容器管理テーブル３３１のＩｏＴ容器ＩＤ３３１ａに対応する来訪客ＩＤ３３１ｃに顧客情報を格納する。
【００９０】
識別されたＩｏＴ容器２を飲食物とともに受け取った来訪客は、施設内を移動する（Ｓ４０，Ｓ４１）。来訪客とともに施設内を移動するＩｏＴ容器２は、位置情報を随時表示制御サーバ１に送信する（Ｓ４２）。表示制御サーバ１は、配信ルールテーブル３３３を参照し、来訪客が訪れるエリアおよび来訪客の顧客情報が配信ルールに適合するか否かを判定する（Ｓ４３）。例えば、表示制御サーバ１は、配信ルールテーブル３３３を参照し、容器管理テーブル３３１のＩｏＴ容器２に対応する位置情報３３１ｄが配信条件（１）３３３ａに適合するか否かを判定する。さらに、表示制御サーバ１は、配信ルールテーブル３３３を参照し、容器管理テーブル３３１のＩｏＴ容器２に対応する来訪客ＩＤ３３１ｃの顧客情報が配信条件（２）３３３ｂに適合するか否かを判定する。
【００９１】
来訪客の訪れるエリアおよび来訪客の顧客情報が配信ルールに適合しないと判定した場合には（Ｓ４３；Ｎｏ）、表示制御サーバ１は、処理をＳ４３に移行する。一方、来訪客の訪れるエリアおよび来訪客の顧客情報が配信ルールに適合すると判定した場合には（Ｓ４３；Ｙｅｓ）、表示制御サーバ１は、適合した配信ルールに対応する配信画像を位置情報３３１ｄおよび来訪客ＩＤ３３１ｃに対応するアドレス３３１ｂのＩｏＴ容器２に送信する（Ｓ４４）。
【００９２】
画像を受け付けたＩｏＴ容器２は、表示部２２に画像を表示する（Ｓ４５）。一方、画像を送信した表示制御サーバ１は、ＩｏＴ容器２に送信した画像の情報を、履歴として配信管理テーブル３３２に記録する（Ｓ４６）。例えば、表示制御サーバ１は、ＩｏＴ容器２の識別情報に対応付けられた来訪客の顧客情報を容器管理テーブル３３１から取得する。そして、表示制御サーバ１は、送信した画像の情報を、顧客情報に対応付けて配信管理テーブル３３２に追加する。
【００９３】
［表示制御システムの用途］
図１６は、実施例２に係る表示制御システムの用途の一例を示す図である。なお、図１６〜図１８に示す例は、テーマパークなどの施設の一例である。表示制御サーバ１は、ＩｏＴ容器２とＷｉ−Ｆｉで接続されている。そして、ＩｏＴ容器２は、端末３とＢＬＥで接続されている。図１６では、複数の来訪客のうち来訪客Ｇおよび来訪客Ｈに着目して説明する。
【００９４】
図１６に示すように、＜１＞施設内での購入金額が０円である来訪客Ｇが、ＩｏＴ容器２を持って施設内を移動して、施設内のエリア１に来訪する。＜２＞表示制御サーバ１は、エリア１に入ったＩｏＴ容器２から位置情報および識別情報を受信する。そして、表示制御サーバ１は、受信した位置情報および来訪客Ｇの購入金額と、設定された配信ルールとに基づいて、対象のＩｏＴ容器２にエリア１および購入金額（この場合０円）に基づいた画像を配信する。＜３＞ＩｏＴ容器２は、エリア１および購入金額（この場合０円）に基づいた画像（例えば、図７Ｃに示したイベントの情報）を表示する。
【００９５】
一方で、＜４＞施設内での購入金額が２万円である来訪客Ｈが、ＩｏＴ容器２を持って施設内を移動し、施設内のエリア１に来訪する。＜５＞表示制御サーバ１は、エリア１に入ったＩｏＴ容器２から位置情報および識別情報を受信する。そして、表示制御サーバ１は、受信した位置情報および来訪客Ｇの購入金額と、設定された配信ルールとに基づいて、対象のＩｏＴ容器２にエリア１および購入金額（この場合２万円）に基づいた画像を配信する。＜６＞ＩｏＴ容器２は、エリア１および購入金額（この場合２万円）に基づいた画像（例えば、図７Ｆに示した無料クーポンの情報）を表示する。
【００９６】
これにより、表示制御システム９は、来訪客の購入金額に応じて、来訪客が有するＩｏＴ容器２に適切な画像を表示することができる。例えば、表示制御システム９は、購入金額が多い優良顧客に対して、無料クーポンなどの付加価値を持つ広告を配信することができる。
【００９７】
なお、かかる来訪客の購入金額に関する情報は、ＰＯＳ端末４に登録されている来訪客の顧客情報から取得することができる。さらに、ＰＯＳ端末４に登録されている来訪客の顧客情報から取得することができる情報は、来訪客の購入金額に関する情報に限られない。
【００９８】
例えば、表示制御サーバ１は、来訪客の顧客情報から、かかる来訪客が所定の商品を購入したか否かに関する情報（例えば、ポップコーンを購入したという情報）を取得する。そして、表示制御サーバ１は、受信した位置情報および来訪客Ｇが所定の商品を購入したか否かに関する情報と、設定された配信ルールとに基づいて、対象のＩｏＴ容器２に位置情報および所定の商品を購入したか否かに基づいた画像を配信する。そして、ＩｏＴ容器２は、位置情報および所定の商品を購入したか否かに基づいた画像（例えば、「ポップコーンおかわり１００円」）を表示する。これにより、表示制御システム９は、来訪客が所定の商品を購入したか否かに応じて、来訪客が有するＩｏＴ容器２に適切な画像を表示することができる。例えば、表示制御システム９は、来訪客が購入した商品に関連する広告を配信することができる。
【００９９】
また、例えば、表示制御サーバ１は、来訪客の顧客情報から、かかる来訪客の購入履歴に関する情報（例えば、キャラクターＡに関するグッズをこれまで多数購入したという情報）を取得する。そして、表示制御サーバ１は、受信した位置情報および来訪客Ｇの購入履歴に関する情報と、設定された配信ルールとに基づいて、対象のＩｏＴ容器２に位置情報および購入履歴に基づいた画像を配信する。そして、ＩｏＴ容器２は、位置情報および購入履歴に基づいた画像（例えば、キャラクターＡに関する新発売グッズの情報）を表示する。これにより、表示制御システム９は、来訪客の購入履歴に応じて、来訪客が有するＩｏＴ容器２に適切な画像を表示することができる。例えば、表示制御システム９は、これまでの購入実績から、かかる来訪客が関心を示す可能性の高い商品に関する広告を配信することができる。
【０１００】
また、例えば、表示制御サーバ１は、来訪客の顧客情報から、かかる来訪客が所定の商品を購入したエリアに関する情報（例えば、キャラクターＢに関するグッズをエリア２で購入したという情報）を取得する。そして、表示制御サーバ１は、受信した位置情報および来訪客Ｇが所定の商品を購入したエリアに関する情報と、設定された配信ルールとに基づいて、対象のＩｏＴ容器２に位置情報および所定の商品を購入したエリアに基づいた画像を配信する。そして、ＩｏＴ容器２は、位置情報および所定の商品を購入したエリアに基づいた画像（例えば、エリア２におけるキャラクターＢに関連するアトラクションの情報）を表示する。これにより、表示制御システム９は、来訪客が所定の商品を購入したエリアに応じて、来訪客が有するＩｏＴ容器２に適切な画像を表示することができる。例えば、表示制御システム９は、所定の商品を購入したエリアから、来訪客がかかるエリアで興味を引く可能性のある広告を配信することができる。
【０１０１】
図１７は、実施例２に係る表示制御システムの用途の別の一例を示す図である。図１７では、複数の来訪客のうち来訪客Ｇおよび来訪客Ｈに着目して説明する。
【０１０２】
図１７に示すように、＜１＞同伴者のいない来訪客Ｇが、ＩｏＴ容器２を持って施設内を移動して、施設内のエリア２に来訪する。＜２＞表示制御サーバ１は、エリア２に入ったＩｏＴ容器２から位置情報および識別情報を受信する。そして、表示制御サーバ１は、受信した位置情報および来訪客Ｇの同伴者と、設定された配信ルールとに基づいて、対象のＩｏＴ容器２にエリア２および同伴者（この場合同伴者無し）に基づいた画像を配信する。＜３＞ＩｏＴ容器２は、エリア２および同伴者（この場合同伴者無し）に基づいた画像（例えば、図７Ｄに示したイベントの情報）を表示する。
【０１０３】
一方で、＜４＞子どもを同伴する来訪客Ｈが、ＩｏＴ容器２を持って施設内を移動して、施設内のエリア２に来訪する。＜５＞表示制御サーバ１は、エリア２に入ったＩｏＴ容器２から位置情報および識別情報を受信する。そして、表示制御サーバ１は、受信した位置情報および来訪客Ｈの同伴者と、設定された配信ルールとに基づいて、対象のＩｏＴ容器２にエリア２および同伴者（この場合子ども同伴）に基づいた画像を配信する。＜６＞ＩｏＴ容器２は、エリア２および同伴者（この場合子ども同伴）に基づいた画像（例えば、図７Ｂに示したキャラクターＢの画像）を表示する。
【０１０４】
これにより、表示制御システム９は、来訪客の同伴者に応じて、来訪客が有するＩｏＴ容器２に適切な画像を表示することができる。例えば、表示制御システム９は、子どもを同伴する来訪客に対して、子どもに人気のあるマスコットキャラクターに関する画像を配信することができる。
【０１０５】
なお、来訪客の同伴者に関する情報は、例えば、ＰＯＳ端末４に登録されている来訪客の顧客情報から取得しても良いし、飲食物とともにＩｏＴ容器２を購入する際に、施設従業員が来訪客の同伴者を確認してから入力されても良い。
【０１０６】
図１８は、実施例２に係る表示制御システムの用途の別の一例を示す図である。図１８では、複数の来訪客のうち来訪客Ｇに着目して説明する。
【０１０７】
図１８に示すように、＜１＞ＩｏＴ容器２を持った来訪客Ｇが施設内を移動し、同じく施設内を移動するキャラクターＡに接近する。＜２＞表示制御サーバ１は、ＩｏＴ容器２から位置情報および識別情報を受信し、キャラクターＡから位置情報を受信して、ＩｏＴ容器２とキャラクターＡとの相対位置を算出する。そして、ＩｏＴ容器２とキャラクターＡとが所定の距離以内に近接した場合に、表示制御サーバ１は、設定された配信ルールに基づいて、接近するキャラクターＡに基づいた画像を対象の識別情報を有するＩｏＴ容器２に配信する。＜３＞ＩｏＴ容器２は、接近するキャラクターＡに基づいた画像（例えば、図７Ａに示したキャラクターＡの画像）を表示する。＜４＞端末３は、ＩｏＴ容器２から、接近するキャラクターＡに基づいた画像（例えば、図７Ａに示したキャラクターＡの画像）を取得する。
【０１０８】
これにより、表示制御システム９は、来訪客に接近する移動対象物に応じて、来訪客が有するＩｏＴ容器２に適切な画像を表示することができる。例えば、来訪客がマスコットキャラクターに接近した場合、接近したマスコットキャラクター（例えば、キャラクターＡ）に応じた適切な画像をＩｏＴ容器２に表示することができる。また、表示制御システム９は、来訪客に接近する移動対象物に応じて、来訪客が有する端末３に適切な画像を保存させることができる。
【０１０９】
なお、上述の移動対象物は施設のマスコットキャラクターに限られず、例えば、施設でのパレードなどのイベントの際に登場するフロート（山車）などであっても良い。
【０１１０】
図１９は、実施例２に係る表示制御システムの用途の別の一例を示す図である。図１９は、サッカー場などのスポーツ会場の一例である。
【０１１１】
図１９に示すように、試合をするチームＡおよびチームＢのうち、チームＡを応援する観客席において、表示制御サーバ１は、チームＡ側観客席にあるＩｏＴ容器２から位置情報および識別情報を受信する。そして、表示制御サーバ１は、受信した位置情報と、別途入力されるイベントの進行状況と、設定された配信ルールとに基づいて、対象のＩｏＴ容器２にチームＡ側観客席に基づいた画像を配信する。ＩｏＴ容器２は、チームＡ側観客席と、イベントの進行状況とに基づいた画像（例えば、「後半開始！チームＡ逆転だ！」）を表示する。
【０１１２】
一方で、表示制御サーバ１は、チームＢ側観客席にあるＩｏＴ容器２から位置情報および識別情報を受信する。そして、表示制御サーバ１は、受信した位置情報と、別途入力されるイベントの進行状況と、設定された配信ルールとに基づいて、対象のＩｏＴ容器２にチームＢ側観客席に基づいた画像を配信する。ＩｏＴ容器２は、チームＢ側観客席と、イベントの進行状況とに基づいた画像（例えば、「チームＢリード！今なら応援グッズ１０％ＯＦＦ」）を表示する。
【０１１３】
これにより、表示制御システム９は、イベントの進行状況に応じて、来訪客が有するＩｏＴ容器２に適切な画像を表示することができる。例えば、表示制御システム９は、試合の進行が佳境に入った場合、応援するチーム（例えば、チームＡやチームＢ）に応じた適切な画像をＩｏＴ容器２に表示することができる。
【０１１４】
なお、図１９に示すように、各実施例が適用される施設は、図１８までに示したテーマパークに限られず、ショッピングモールなどの商業施設、スポーツ会場やコンサート会場などのイベント施設などであっても良い。例えば、ショッピングモールなどに各実施例を適用する場合は、かかるショッピングモールに出店している各店舗の広告などを、ＩｏＴ容器２の位置情報および識別情報に基づいて配信することができる。また、コンサート会場などに各実施例を適用する場合は、コンサート会場の売店やトイレなどの位置情報を、ＩｏＴ容器２の位置情報および識別情報に基づいて配信することができる。
【０１１５】
また、表示制御システム９は、ＩｏＴ容器２の利用が開始されたタイミングからの時間経過に応じて、ＩｏＴ容器２に表示させる画像を変更しても良い。例えば、送信部３２４は、配信ルールテーブル３３３を参照し、容器管理テーブル３３１のＩｏＴ容器２に対応する利用時間３３１ｅが配信条件（１）３３３ａまたは配信条件（２）３３３ｂに適合するか否かを判定すればよい。これにより、表示制御システム９は、ＩｏＴ容器２を利用する時間の経過に応じて、ＩｏＴ容器２に提示する画像を配信することができる。
【０１１６】
さらに、表示制御システム９は、ＩｏＴ容器２で提供する飲食物の情報を取得した場合に、かかる飲食物の情報に基づいた画像を対応するＩｏＴ容器２に送信しても良い。これにより、表示制御システム９は、来訪客が注文した飲食物が何であるかをＩｏＴ容器２に表示させることで、来訪客によって注文された飲食物の種類を来訪客に確認させることができる。
【０１１７】
［実施例２の効果］
このようにして、表示制御サーバ１において、ＩｏＴ容器２の表示部２２に表示させる対象の画像を位置情報に対応付けた登録を受け付ける処理は、画像を、対象商品の購入に係る情報にも対応付けた登録を受け付ける。表示制御サーバ１において、位置情報に応じて登録された画像を送信する処理は、ＩｏＴ容器２の利用者の購入履歴に関する情報を取得し、購入履歴にも基づいて画像を送信先に送信する。かかる構成によれば、表示制御サーバ１は、来訪客の購入履歴に応じて、来訪客が有するＩｏＴ容器２に適切な画像を表示することができる。
【０１１８】
また、表示制御サーバ１において、ＩｏＴ容器２の表示部２２に表示させる対象の画像を位置情報に対応付けた登録を受け付ける処理は、画像を、対象商品の購入の有無にも対応付けた登録を受け付ける。表示制御サーバ１において、位置情報に応じて登録された画像を送信する処理は、容器の利用者が対象商品を購入したか否かに関する情報を取得し、購入したか否かに関する情報にも基づいて画像を送信先に送信する。かかる構成によれば、表示制御サーバ１は、来訪客が所定の商品を購入したか否かに応じて、来訪客が有するＩｏＴ容器２に適切な画像を表示することができる。
【０１１９】
また、表示制御サーバ１において、ＩｏＴ容器２の表示部２２に表示させる対象の画像を位置情報に対応付けた登録を受け付ける処理は、画像を、対象商品の購入エリアにも対応付けた登録を受け付ける。表示制御サーバ１において、位置情報に応じて登録された画像を送信する処理は、容器の利用者が対象商品を購入した購入エリアに関する情報を取得し、購入エリアにも基づいて画像を送信先に送信する。かかる構成によれば、表示制御サーバ１は、来訪客が所定の商品を購入したエリアに応じて、来訪客が有するＩｏＴ容器２に適切な画像を表示することができる。
【０１２０】
また、表示制御サーバ１において、ＩｏＴ容器２の表示部２２に表示させる対象の画像を位置情報に対応付けた登録を受け付ける処理は、画像を、購入金額にも対応付けた登録を受け付ける。表示制御サーバ１において、位置情報に応じて登録された画像を送信する処理は、容器の利用者の購入金額に関する情報を取得し、購入金額にも基づいて画像を送信先に送信する。かかる構成によれば、表示制御サーバ１は、来訪客の購入金額に応じて、来訪客が有するＩｏＴ容器２に適切な画像を表示することができる。
【０１２１】
また、表示制御サーバ１において、ＩｏＴ容器２の表示部２２に表示させる対象の画像を位置情報に対応付けた登録を受け付ける処理は、画像を、同伴者にも対応付けた登録を受け付ける。表示制御サーバ１において、位置情報に応じて登録された画像を送信する処理は、容器の利用者の同伴者に関する情報を取得し、同伴者にも基づいて画像を送信先に送信する。かかる構成によれば、表示制御サーバ１は、来訪客の同伴者に応じて、来訪客が有するＩｏＴ容器２に適切な画像を表示することができる。
【０１２２】
また、表示制御サーバ１において、ＩｏＴ容器２の表示部２２に表示させる対象の画像を位置情報に対応付けた登録を受け付ける処理は、画像を、移動対象物との相対位置にも対応付けた登録を受け付ける。表示制御サーバ１において、位置情報に応じて登録された画像を送信する処理は、移動対象物の位置情報を取得し、移動対象物の位置情報に基づいて容器と移動対象物との相対位置を算出し、相対位置にも基づいて画像を送信先に送信する。かかる構成によれば、表示制御サーバ１は、来訪客に接近する移動対象物に応じて、来訪客が有するＩｏＴ容器２に適切な画像を表示することができる。
【０１２３】
また、表示制御サーバ１において、ＩｏＴ容器２の表示部２２に表示させる対象の画像を位置情報に対応付けた登録を受け付ける処理は、画像を、イベントの進行状況にも対応付けた登録を受け付ける。表示制御サーバ１において、位置情報に応じて登録された画像を送信する処理は、イベントの進行状況を取得し、進行状況にも基づいて画像を送信先に送信する。かかる構成によれば、表示制御サーバ１は、イベントの進行状況に応じて、来訪客が有するＩｏＴ容器２に適切な画像を表示することができる。
【０１２４】
［その他］
なお、表示制御サーバ１は、既知のパーソナルコンピュータ、ワークステーションなどの情報処理装置に、上記した制御部１２、３２および記憶部１３、３３などの各機能を搭載することによって実現することができる。
【０１２５】
また、上記実施例では、図示した装置の各構成要素は、必ずしも物理的に図示の如く構成されていることを要しない。すなわち、装置の分散・統合の具体的態様は図示のものに限られず、その全部または一部を、各種の負荷や使用状況などに応じて、任意の単位で機能的または物理的に分散・統合して構成することができる。例えば、記憶部１３、３３を表示制御サーバ１の外部装置としてネットワーク経由で接続するようにしても良い。
【０１２６】
また、上記実施例で説明した各種の処理は、あらかじめ用意されたプログラムをパーソナルコンピュータやワークステーションなどのコンピュータで実行することによって実現することができる。そこで、以下では、図３または図１１に示した表示制御サーバ１と同様の機能を実現する操作管理プログラムを実行するコンピュータの一例を説明する。図２０は、表示制御プログラムを実行するコンピュータの一例を示す図である。
【０１２７】
図２０に示すように、コンピュータ２００は、各種演算処理を実行するＣＰＵ２０３と、ユーザからのデータの入力を受け付ける入力装置２１５と、表示装置２０９を制御する表示制御部２０７とを有する。また、コンピュータ２００は、記憶媒体からプログラムなどを読取るドライブ装置２１３と、ネットワークを介して他のコンピュータとの間でデータの授受を行う通信制御部２１７とを有する。また、コンピュータ２００は、各種情報を一時記憶するメモリ２０１と、ＨＤＤ２０５を有する。そして、メモリ２０１、ＣＰＵ２０３、ＨＤＤ２０５、表示制御部２０７、ドライブ装置２１３、入力装置２１５、通信制御部２１７は、バス２１９で接続されている。
【０１２８】
ドライブ装置２１３は、例えばリムーバブルディスク２１１用の装置である。ＨＤＤ２０５は、表示制御プログラム２０５ａおよび表示制御関連情報２０５ｂを記憶する。
【０１２９】
ＣＰＵ２０３は、表示制御プログラム２０５ａを読み出して、メモリ２０１に展開し、プロセスとして実行する。かかるプロセスは、表示制御サーバ１の各機能部に対応する。表示制御関連情報２０５ｂは、容器管理テーブル１３１、３３１と、配信管理テーブル１３２、３３２と、配信ルールテーブル１３３、３３３と、画像１３４、３３４とに対応する。そして、例えばリムーバブルディスク２１１が、表示制御プログラム２０５ａなどの各情報を記憶する。
【０１３０】
なお、表示制御プログラム２０５ａについては、必ずしも最初からＨＤＤ２０５に記憶させておかなくても良い。例えば、コンピュータ２００に挿入されるフレキシブルディスク（ＦＤ）、ＣＤ−ＲＯＭ、ＤＶＤディスク、光磁気ディスク、ＩＣカードなどの「可搬用の物理媒体」に当該プログラムを記憶させておく。そして、コンピュータ２００がこれらから表示制御プログラム２０５ａを読み出して実行するようにしても良い。
【０１３１】
以上の実施形態に関し、さらに以下の付記を開示する。
【０１３２】
（付記１）容器の表示部に表示させる対象の画像を位置情報に対応付けた登録を受け付け、
容器または該容器の表示部の位置情報と該容器または該容器の表示部の識別情報とを取得すると、前記位置情報に応じて登録された前記画像を該識別情報に対応付けられた送信先に送信し、
前記容器の前記表示部に前記画像を表示させる、
処理をコンピュータが実行することを特徴とする表示制御方法。
【０１３３】
（付記２）前記受け付ける処理は、前記画像を、対象商品の購入に係る情報にも対応付けた登録を受け付け、
前記送信する処理は、前記容器の利用者の購入履歴に関する情報を取得し、前記購入履歴にも基づいて前記画像を前記送信先に送信する、
ことを特徴とする付記１に記載の表示制御方法。
【０１３４】
（付記３）前記受け付ける処理は、前記画像を、対象商品の購入の有無にも対応付けた登録を受け付け、
前記送信する処理は、前記容器の利用者が前記対象商品を購入したか否かに関する情報を取得し、前記購入したか否かに関する情報にも基づいて前記画像を前記送信先に送信する、
ことを特徴とする付記１または２に記載の表示制御方法。
【０１３５】
（付記４）前記受け付ける処理は、前記画像を、対象商品の購入エリアにも対応付けた登録を受け付け、
前記送信する処理は、前記容器の利用者が前記対象商品を購入した購入エリアに関する情報を取得し、前記購入エリアにも基づいて前記画像を前記送信先に送信する、
ことを特徴とする付記１〜３のいずれか一つに記載の表示制御方法。
【０１３６】
（付記５）前記受け付ける処理は、前記画像を、購入金額にも対応付けた登録を受け付け、
前記送信する処理は、前記容器の利用者の購入金額に関する情報を取得し、前記購入金額にも基づいて前記画像を前記送信先に送信する、
ことを特徴とする付記１〜４のいずれか一つに記載の表示制御方法。
【０１３７】
（付記６）前記受け付ける処理は、前記画像を、同伴者にも対応付けた登録を受け付け、
前記送信する処理は、前記容器の利用者の同伴者に関する情報を取得し、前記同伴者にも基づいて前記画像を前記送信先に送信する、
ことを特徴とする付記１〜５のいずれか一つに記載の表示制御方法。
【０１３８】
（付記７）前記受け付ける処理は、前記画像を、移動対象物との相対位置にも対応付けた登録を受け付け、
前記送信する処理は、前記移動対象物の位置情報を取得し、前記移動対象物の前記位置情報に基づいて前記容器と前記移動対象物との相対位置を算出し、前記相対位置にも基づいて前記画像を前記送信先に送信する、
ことを特徴とする付記１〜６のいずれか一つに記載の表示制御方法。
【０１３９】
（付記８）前記受け付ける処理は、前記画像を、イベントの進行状況にも対応付けた登録を受け付け、
前記送信する処理は、前記イベントの進行状況を取得し、前記進行状況にも基づいて前記画像を前記送信先に送信する、
ことを特徴とする付記１〜７のいずれか一つに記載の表示制御方法。
【０１４０】
（付記９）データを表示可能な特定の対象物の利用が開始された場合または購入が完了した場合に、前記対象物の位置情報を取得し、
取得した前記対象物の位置情報を前記対象物の識別情報に対応付けて記憶し、
記憶した前記位置情報に応じたデータを前記対象物に表示させる、
処理をコンピュータに実行させることを特徴とする表示制御プログラム。
【０１４１】
（付記１０）前記取得する処理は、前記対象物の利用者の購入履歴に関する情報を取得し、
前記表示させる処理は、前記購入履歴にも基づいて前記データを前記対象物に表示させる、
処理をコンピュータに実行させることを特徴とする付記９に記載の表示制御プログラム。
【０１４２】
（付記１１）前記取得する処理は、前記対象物の利用者が前記対象商品を購入したか否かに関する情報を取得し、
前記表示させる処理は、前記購入したか否かに関する情報にも基づいて前記データを前記対象物に表示させる、
処理をコンピュータに実行させることを特徴とする付記９または１０に記載の表示制御プログラム。
【０１４３】
（付記１２）前記取得する処理は、前記対象物の利用者が前記対象商品を購入した購入エリアに関する情報を取得し、
前記表示させる処理は、前記購入エリアにも基づいて前記データを前記対象物に表示させる、
処理をコンピュータに実行させることを特徴とする付記９〜１１のいずれか一つに記載の表示制御プログラム。
【０１４４】
（付記１３）前記取得する処理は、前記対象物の利用者の購入金額に関する情報を取得し、
前記表示させる処理は、前記購入金額にも基づいて前記データを前記対象物に表示させる、
処理をコンピュータに実行させることを特徴とする付記９〜１２のいずれか一つに記載の表示制御プログラム。
【０１４５】
（付記１４）前記取得する処理は、前記対象物の利用者の同伴者に関する情報を取得し、
前記表示させる処理は、前記同伴者にも基づいて前記データを前記対象物に表示させる、
処理をコンピュータに実行させることを特徴とする付記９〜１３のいずれか一つに記載の表示制御プログラム。
【０１４６】
（付記１５）前記取得する処理は、前記移動対象物の位置情報を取得し、
前記表示させる処理は、前記移動対象物の前記位置情報に基づいて前記対象物と前記移動対象物との相対位置を算出し、前記相対位置にも基づいて前記データを前記対象物に表示させる、
処理をコンピュータに実行させることを特徴とする付記９〜１４のいずれか一つに記載の表示制御プログラム。
【０１４７】
（付記１６）前記取得する処理は、前記イベントの進行状況を取得し、
前記表示させる処理は、前記進行状況にも基づいて前記データを前記対象物に表示させる、
処理をコンピュータに実行させることを特徴とする付記９〜１５のいずれか一つに記載の表示制御プログラム。
【０１４８】
（付記１７）データを表示可能な特定の対象物の利用が開始された場合または購入が完了した場合に、前記対象物の位置情報を取得する受信部と、
取得した前記対象物の位置情報を前記対象物の識別情報に対応付けて記憶する記憶部と、
前記記憶部に記憶した前記位置情報に応じたデータを前記対象物に表示させる表示部と、
を有することを特徴とする表示制御装置。
【０１４９】
（付記１８）前記受信部は、前記対象物の利用者の購入履歴に関する情報を取得し、
前記表示部は、前記購入履歴にも基づいて前記データを前記対象物に表示させる、
ことを特徴とする付記１７に記載の表示制御装置。
【０１５０】
（付記１９）前記受信部は、前記対象物の利用者が前記対象商品を購入したか否かに関する情報を取得し、
前記表示部は、前記購入したか否かに関する情報にも基づいて前記データを前記対象物に表示させる、
ことを特徴とする付記１７または１８に記載の表示制御装置。
【０１５１】
（付記２０）前記受信部は、前記対象物の利用者が前記対象商品を購入した購入エリアに関する情報を取得し、
前記表示部は、前記購入エリアにも基づいて前記データを前記対象物に表示させる、
ことを特徴とする付記１７〜１９のいずれか一つに記載の表示制御装置。
【０１５２】
（付記２１）前記受信部は、前記対象物の利用者の購入金額に関する情報を取得し、
前記表示部は、前記購入金額にも基づいて前記データを前記対象物に表示させる、
ことを特徴とする付記１７〜２０のいずれか一つに記載の表示制御装置。
【０１５３】
（付記２２）前記受信部は、前記対象物の利用者の同伴者に関する情報を取得し、
前記表示部は、前記同伴者にも基づいて前記データを前記対象物に表示させる、
ことを特徴とする付記１７〜２１のいずれか一つに記載の表示制御装置。
【０１５４】
（付記２３）前記受信部は、前記移動対象物の位置情報を取得し、
前記表示部は、前記移動対象物の前記位置情報に基づいて前記対象物と前記移動対象物との相対位置を算出し、前記相対位置にも基づいて前記データを前記対象物に表示させる、
ことを特徴とする付記１７〜２２のいずれか一つに記載の表示制御装置。
【０１５５】
（付記２４）前記受信部は、前記イベントの進行状況を取得し、
前記表示部は、前記進行状況にも基づいて前記データを前記対象物に表示させる、
ことを特徴とする付記１７〜２３のいずれか一つに記載の表示制御装置。
【符号の説明】
【０１５６】
１  表示制御サーバ
１１  通信部
１２  制御部
１２１  登録部
１２２  受信部
１２３  記録部
１２４  送信部
１３  記憶部
１３１  容器管理テーブル
１３２  配信管理テーブル
１３３  配信ルールテーブル
１３４  画像
２  ＩｏＴ容器
２１  通信部
２２  表示部
３  端末
４  ＰＯＳ端末
６，７  ネットワーク
【図１】
2019012478.tif 000003
【図２】
2019012478.tif 000004
【図３】
2019012478.tif 000005
【図４】
2019012478.tif 000006
【図５】
2019012478.tif 000007
【図６】
2019012478.tif 000008
【図７Ａ】
2019012478.tif 000009
【図７Ｂ】
2019012478.tif 000010
【図７Ｃ】
2019012478.tif 000011
【図７Ｄ】
2019012478.tif 000012
【図７Ｅ】
2019012478.tif 000013
【図７Ｆ】
2019012478.tif 000014
【図８】
2019012478.tif 000015
【図９】
2019012478.tif 000016
【図１０】
2019012478.tif 000017
【図１１】
2019012478.tif 000018
【図１２】
2019012478.tif 000019
【図１３】
2019012478.tif 000020
【図１４】
2019012478.tif 000021
【図１５】
2019012478.tif 000022
【図１６】
2019012478.tif 000023
【図１７】
2019012478.tif 000024
【図１８】
2019012478.tif 000025
【図１９】
2019012478.tif 000026
【図２０】
2019012478.tif 000027